(57)【要約】【課題】ＷｅｂシステムとＶｏＩＰシステムとを、より容易に、かつよりセキュアに連携する。【解決手段】ＳＩＰアプリケーションサーバ３１は、Ｗｅｂシステム１１、１２を介して、第１の端末２１から認証要求を受け付けて、メディアサーバ３３と認証要求で指定された第２の端末４１との間の通信を確立させ、認証要求で指定されたパスワードを含む認証用ガイダンスの開始指示をメディアサーバ３３に送信し、メディアサーバ３３は、認証用ガイダンスの開始指示に基づいて認証用ガイダンスを第２の端末４１に送出し、第２の端末４１から入力されたプッシュボタン信号と、認証用ガイダンスの開始指示に含まれるパスワードとが一致するか否かのユーザ認証を行い、認証結果をＷｅｂシステム１１、１２サーバに送信する。【選択図】図１
2010273015.tif 000002
【特許請求の範囲】
【請求項１】
ＷｅｂシステムとＶｏＩＰシステムとを連携する連携方法であって、
前記ＶｏＩＰシステムは、ＳＩＰアプリケーションサーバとメディアサーバとを有し、
前記ＳＩＰアプリケーションサーバは、
前記Ｗｅｂシステムを介して、第１の端末から認証要求を受け付ける受付ステップと、
前記メディアサーバに発信する発信ステップと、
前記認証要求で指定された第２の端末に発信する発信ステップと、
前記メディアサーバと前記第２の端末との間の通信を確立させるメディア情報変更ステップと、
前記認証要求で指定されたパスワードを含む認証用ガイダンスの開始指示を、前記メディアサーバに送信する送信ステップと、を行い、
前記メディアサーバは、
前記認証用ガイダンスの開始指示に基づいて認証用ガイダンスを前記第２の端末に送出するガイダンス送出ステップと、
前記第２の端末から入力されたプッシュボタン信号と、前記認証用ガイダンスの開始指示に含まれるパスワードとが一致するか否かのユーザ認証を行い、認証結果を前記Ｗｅｂシステムに送信する認証ステップと、を行い、
前記Ｗｅｂシステムは、
前記ＶｏＩＰシステムから認証結果を受信し、記憶部に保持する保持ステップを行うこと
を特徴とする連携方法。
【請求項２】
請求項１記載の連携方法であって、
前記メディアサーバの認証ステップは、前記ＳＩＰアプリケーションサーバを介して、前記認証結果を前記Ｗｅｂシステムに送信し、
前記ＳＩＰアプリケーションサーバは、前記メディアサーバから受信した前記認証結果を前記Ｗｅｂシステムに送信するとともに、前記認証結果を記憶部に保持する保持ステップを、さらに行うこと
を特徴とする連携方法。
【請求項３】
請求項１または請求項２記載の連携方法であって、
前記メディアサーバは、
第３の端末から入力されたコンテンツを録音するとともに、録音通知を前記Ｗｅｂシステムを介して前記第１の端末に通知する録音ステップと、
前記第１の端末から、前記Ｗｅｂシステムを介してコンテンツ取得要求を受信し、当該コンテンツ取得要求に指定された第２の端末が前記認証ステップで認証済みの場合、前記録音ステップで録音したコンテンツを、前記Ｗｅｂシステムを介して前記第１の端末に送信するコンテンツ送信ステップと、をさらに行うこと
を特徴とする連携方法。
【請求項４】
請求項１から請求項３のいずれか１項に記載の連携方法であって、
ＳＩＰアプリケーションサーバは、
前記Ｗｅｂシステムを介して第１の端末から、録音発信要求を受け付ける受付ステップと、
前記録音発信要求で指定された第２の端末が、前記認証ステップで認証済みの場合、メディアサーバに発信する発信ステップと、
前記録音発信要求で指定された第４の端末に発信する発信ステップと、
前記メディアサーバと前記第４の端末との間の通信を確立させるメディア情報変更ステップと、をさらに行い、
前記メディアサーバは、
前記第４の端末から入力されたコンテンツを録音するとともに、録音通知を前記Ｗｅｂシステムを介して前記第１の端末に通知する録音ステップと、
前記第１の端末から、前記Ｗｅｂシステムを介してコンテンツ取得要求を受信し、当該コンテンツ取得要求に指定された第２の端末が前記認証ステップで認証済みの場合、前記録音ステップで録音したコンテンツを、前記Ｗｅｂシステムを介して前記第１の端末に送信するコンテンツ送信ステップと、をさらに行うこと
を特徴とする連携方法。
【請求項５】
請求項１から請求項４のいずれか１項に記載の連携方法であって、
ＳＩＰアプリケーションサーバは、
前記Ｗｅｂシステムを介して第１の端末から、コンテンツを含むコンテンツ蓄積要求を受け付ける受付ステップと、
前記コンテンツ蓄積要求で指定された第２の端末が、前記認証ステップで認証済みの場合、当該コンテンツ蓄積要求に含まれるコンテンツをメディアサーバに送信する送信ステップと、
前記Ｗｅｂシステムを介して第１の端末から、コンテンツ発信要求を受け付ける受付ステップと、
前記コンテンツ発信要求で指定された第２の端末が、前記認証ステップで認証済みの場合、メディアサーバに発信する発信ステップと、
前記コンテンツ発信要求で指定された第５の端末に発信する発信ステップと、
前記メディアサーバと前記第５の端末との間の通信を確立させるメディア情報変更ステップと、をさらに行い、
前記メディアサーバは、
前記ＳＩＰアプリケーションサーバから送信されたコンテンツを蓄積するとともに、コンテンツ蓄積通知を前記Ｗｅｂシステムを介して前記第１の端末に通知する蓄積ステップと、
前記蓄積ステップで蓄積したコンテンツを、前記第５の端末に送信するコンテンツ送信ステップと、をさらに行うこと
を特徴とする連携方法。
【請求項６】
Ｗｅｂシステムと連携するＶｏＩＰシステムであって、
ＳＩＰアプリケーションサーバとメディアサーバとを有し、
前記ＳＩＰアプリケーションサーバは、
前記Ｗｅｂシステムを介して、第１の端末から認証要求を受け付ける受付手段と、
前記メディアサーバに発信するとともに、前記認証要求で指定された第２の端末に発信し、前記メディアサーバと前記第２の端末との間の通信を確立させる発信手段と、
前記認証要求で指定されたパスワードを含む認証用ガイダンスの開始指示を、前記メディアサーバに送信する開始手段と、を有し、
前記メディアサーバは、
前記認証用ガイダンスの開始指示に基づいて認証用ガイダンスを前記第２の端末に送出するガイダンス送出手段と、
前記第２の端末から入力されたプッシュボタン信号と、前記認証用ガイダンスの開始指示に含まれるパスワードとが一致するか否かのユーザ認証を行い、認証結果を前記Ｗｅｂシステムに送信する認証手段とを有すること
を特徴とするＶｏＩＰシステム。
【請求項７】
請求項６記載のＶｏＩＰシステムであって、
前記メディアサーバの認証手段は、前記ＳＩＰアプリケーションサーバを介して、前記認証結果を前記Ｗｅｂシステムに送信し、
前記ＳＩＰアプリケーションサーバは、前記メディアサーバから受信した認証結果を前記Ｗｅｂシステムに送信するとともに、当該認証結果を保持する保持手段を、さらに有すること
を特徴とするＶｏＩＰシステム。
【請求項８】
請求項６または請求項７記載のＶｏＩＰシステムであって、
前記メディアサーバは、
第３の端末から入力されたコンテンツを録音するとともに、録音通知を前記Ｗｅｂシステムを介して前記第１の端末に通知する録音手段と、
前記第１の端末から、前記Ｗｅｂシステムを介してコンテンツ取得要求を受信し、当該コンテンツ取得要求に指定された第２の端末が前記認証手段で認証済みの場合、前記録音手段が録音したコンテンツを、前記Ｗｅｂシステムを介して前記第１の端末に送信するコンテンツ送信手段と、をさらに有すること
を特徴とするＶｏＩＰシステム。
【請求項９】
請求項６から請求項８のいずれか１項に記載のＶｏＩＰシステムであって、
ＳＩＰアプリケーションサーバの
前記受付手段は、前記Ｗｅｂシステムを介して第１の端末から、録音発信要求を受け付け、
前記発信手段は、前記録音発信要求で指定された第２の端末が前記認証手段で認証済みの場合、メディアサーバに発信する発信するとともに、前記録音発信要求で指定された第４の端末に発信し、前記メディアサーバと前記第４の端末との間の通信を確立させ、
前記メディアサーバの
前記録音手段は、前記第４の端末から入力されたコンテンツを録音するとともに、録音通知を前記Ｗｅｂシステムを介して前記第１の端末に通知し、
前記コンテンツ送信手段は、前記Ｗｅｂシステムを介して第１の端末からコンテンツ取得要求を受信し、当該コンテンツ取得要求に指定された第２の端末が前記認証手段で認証済みの場合、前記録音手段が録音したコンテンツを、前記Ｗｅｂシステムを介して前記第１の端末に送信すること
を特徴とするＶｏＩＰシステム。
【請求項１０】
請求項６から請求項９のいずれか１項に記載のＶｏＩＰシステムであって、
ＳＩＰアプリケーションサーバは、
前記Ｗｅｂシステムを介して第１の端末から、コンテンツを含むコンテンツ蓄積要求を受け付け、当該コンテンツ蓄積要求で指定された第２の端末が前記認証手段で認証済みの場合、当該コンテンツ蓄積要求に含まれるコンテンツをメディアサーバに送信するコンテンツ送信手段を、さらに有し、
前記受付手段は、前記Ｗｅｂシステムを介して第１の端末から、コンテンツ発信要求を受け付け、
前記発信手段は、前記コンテンツ発信要求で指定された第２の端末が前記認証手段で認証済みの場合、メディアサーバに発信する発信するとともに、前記コンテンツ発信要求で指定された第５の端末に発信し、前記メディアサーバと前記第５の端末との間の通信を確立させ、
前記メディアサーバは、
前記ＳＩＰアプリケーションサーバから送信されたコンテンツを蓄積するとともに、コンテンツ蓄積通知を前記Ｗｅｂシステムを介して前記第１の端末に通知する蓄積手段と、をさらに有し、
前記コンテンツ送信手段は、蓄積手段が蓄積したコンテンツを、前記第５の端末に送信すること
を特徴とするＶｏＩＰシステム。
【請求項１１】
Ｗｅｂシステムと連携するＶｏＩＰシステムが実行する連携プログラムであって、
前記ＶｏＩＰシステムは、ＳＩＰアプリケーションサーバとメディアサーバとを有し、
前記ＳＩＰアプリケーションサーバに、
前記Ｗｅｂシステムを介して、第１の端末から認証要求を受け付ける受付ステップと、
前記メディアサーバに発信する発信ステップと、
前記認証要求で指定された第２の端末に発信する発信ステップと、
前記メディアサーバと前記第２の端末との間の通信を確立させるメディア情報変更ステップと、
前記認証要求で指定されたパスワードを含む認証用ガイダンスの開始指示を、前記メディアサーバに送信する送信ステップと、を実行させ、
前記メディアサーバに、
前記認証用ガイダンスの開始指示に基づいて認証用ガイダンスを前記第２の端末に送出するガイダンス送出ステップと、
前記第２の端末から入力されたプッシュボタン信号と、前記認証用ガイダンスの開始指示に含まれるパスワードとが一致するか否かのユーザ認証を行い、認証結果を前記Ｗｅｂシステムに送信する認証ステップと、を実行させること
を特徴とする連携プログラム。
【請求項１２】
請求項１１記載の連携プログラムであって、
前記メディアサーバの認証ステップは、前記ＳＩＰアプリケーションサーバを介して、前記認証結果を前記Ｗｅｂシステムに送信し、
前記ＳＩＰアプリケーションサーバに、前記メディアサーバから受信した前記認証結果を前記Ｗｅｂシステムに送信するとともに、前記認証結果を記憶部に保持する保持ステップを、さらに実行させること
を特徴とする連携プログラム。
【請求項１３】
請求項１１または請求項１２記載の連携プログラムであって、
前記メディアサーバに、
第３の端末から入力されたコンテンツを録音するとともに、録音通知を前記Ｗｅｂシステムを介して前記第１の端末に通知する録音ステップと、
前記第１の端末から、前記Ｗｅｂシステムを介してコンテンツ取得要求を受信し、当該コンテンツ取得要求に指定された第２の端末が前記認証ステップで認証済みの場合、前記録音ステップで録音したコンテンツを、前記Ｗｅｂシステムを介して前記第１の端末に送信するコンテンツ送信ステップと、をさらに実行させること
を特徴とする連携プログラム。
【請求項１４】
請求項１１から請求項１３のいずれか１項に記載の連携プログラムであって、
ＳＩＰアプリケーションサーバに、
前記Ｗｅｂシステムを介して、第１の端末から録音発信要求を受け付ける受付ステップと、
前記録音発信要求で指定された第２の端末が、前記認証ステップで認証済みの場合、メディアサーバに発信する発信ステップと、
前記録音発信要求で指定された第４の端末に発信する発信ステップと、
前記メディアサーバと前記第４の端末との間の通信を確立させるメディア情報変更ステップと、をさらに実行させ、
前記メディアサーバに、
前記第４の端末から入力されたコンテンツを録音するとともに、録音通知を前記Ｗｅｂシステムを介して前記第１の端末に通知する録音ステップと、
前記第１の端末から、前記Ｗｅｂシステムを介してコンテンツ取得要求を受信し、当該コンテンツ取得要求に指定された第２の端末が前記認証ステップで認証済みの場合、前記録音ステップで録音したコンテンツを、前記Ｗｅｂシステムを介して前記第１の端末に送信するコンテンツ送信ステップと、をさらに実行させること
を特徴とする連携プログラム。
【請求項１５】
請求項１１から請求項１４のいずれか１項に記載の連携プログラムであって、
ＳＩＰアプリケーションサーバに、
前記Ｗｅｂシステムを介して第１の端末から、コンテンツを含むコンテンツ蓄積要求を受け付ける受付ステップと、
前記コンテンツ蓄積要求で指定された第２の端末が、前記認証ステップで認証済みの場合、当該コンテンツ蓄積要求に含まれるコンテンツをメディアサーバに送信する送信ステップと、
前記Ｗｅｂシステムを介して第１の端末から、コンテンツ発信要求を受け付ける受付ステップと、
前記コンテンツ発信要求で指定された第２の端末が、前記認証ステップで認証済みの場合、メディアサーバに発信する発信ステップと、
前記コンテンツ発信要求で指定された第５の端末に発信する発信ステップと、
前記メディアサーバと前記第５の端末との間の通信を確立させるメディア情報変更ステップと、をさらに実行させ、
前記メディアサーバに、
前記ＳＩＰアプリケーションサーバから送信されたコンテンツを蓄積するとともに、コンテンツ蓄積通知を前記Ｗｅｂシステムを介して前記第１の端末に通知する蓄積ステップと、
前記蓄積ステップで蓄積したコンテンツを、前記第５の端末に送信するコンテンツ送信ステップと、をさらに実行させること
を特徴とする連携プログラム。
【発明の詳細な説明】
【技術分野】
【０００１】
本発明は、ＷｅｂシステムとＶｏＩＰシステムとを連携させるための連携技術に関し、特に、プッシュボタン信号を用いた認証を用いてＷｅｂシステムとＶｏＩＰシステムとを連携させる連携技術に関する。
【背景技術】
【０００２】
Ｗｅｂサービスの会員登録などでは、ユーザがメールアドレスなどのユーザ情報を入力した後に、入力されたメールアドレスへのメールでの応答や、当該メールアドレスにメールでユーザＩＤおよびパスワードを通知する等、メールを用いた認証が行われている。
【０００３】
また、複数のＷｅｂサービス間でサービスの連携を行う場合、ＸＭＬ（Extensible Markup Language）を用いてユーザＩＤやパスワードなどの認証情報を安全に交換するＳＡＭＬ（Security Assertion Markup Language）等が、Ｗｅｂ技術にて実現されている。
【０００４】
また、ＶｏＩＰ（Voice over Internet Protocol）などのマルチメディア通信において、ＳＩＰ（Session Initiation Protocol）が利用されている。例えば、特許文献１には、ＳＩＰを利用したＶｏＩＰ通信の通信制御技術が記載されている。
【先行技術文献】
【特許文献】
【０００５】
【特許文献１】特開２００８−１１３３９９号公報
【発明の概要】
【発明が解決しようとする課題】
【０００６】
さて、多様な事業者が提供するＷｅｂサービスとＶｏＩＰサービスとを連携することにより、多様なサービスが創造される可能性がある。しかしながら、Ｗｅｂシステムで行われているメールを用いた認証やＳＡＭＬ等の認証技術は、ＶｏＩＰシステムでは必ずしも必要ではないため、ＷｅｂシステムとＶｏＩＰシステムの連携には特別な対応（システム変更）が必要となる。そのため、ＷｅｂサービスとＶｏＩＰサービスの連携による様々なサービスの開発・提供が実現し難い、という問題がある。
【０００７】
一方、ユーザＩＤやパスワード等の認証情報を、ＷｅｂシステムとＶｏＩＰシステム間で交換することにより、簡易にＷｅｂサービスとＶｏＩＰサービスとを連携させることも考えられるが、ＷｅｂシステムとＶｏＩＰシステムの事業者が異なる場合、他事業者との間で認証情報を交換することはセキュリティ上の問題がある。
【０００８】
本発明は上記事情に鑑みてなされたものであり、本発明の目的は、ＷｅｂシステムとＶｏＩＰシステムとを、より容易に、かつよりセキュアに連携することにある。
【課題を解決するための手段】
【０００９】
本発明は、ＷｅｂシステムとＶｏＩＰシステムとを連携する連携方法であって、前記ＶｏＩＰシステムは、ＳＩＰアプリケーションサーバとメディアサーバとを有し、前記ＳＩＰアプリケーションサーバは、前記Ｗｅｂシステムを介して、第１の端末から認証要求を受け付ける受付ステップと、前記メディアサーバに発信する発信ステップと、前記認証要求で指定された第２の端末に発信する発信ステップと、前記メディアサーバと前記第２の端末との間の通信を確立させるメディア情報変更ステップと、前記認証要求で指定されたパスワードを含む認証用ガイダンスの開始指示を、前記メディアサーバに送信する送信ステップと、を行い、前記メディアサーバは、前記認証用ガイダンスの開始指示に基づいて認証用ガイダンスを前記第２の端末に送出するガイダンス送出ステップと、前記第２の端末から入力されたプッシュボタン信号と、前記認証用ガイダンスの開始指示に含まれるパスワードとが一致するか否かのユーザ認証を行い、認証結果を前記Ｗｅｂシステムに送信する認証ステップと、を行い、前記Ｗｅｂシステムは、前記ＶｏＩＰシステムから認証結果を受信し、記憶部に保持する保持ステップを行う。
【００１０】
また、本発明は、Ｗｅｂシステムと連携するＶｏＩＰシステムであって、ＳＩＰアプリケーションサーバとメディアサーバとを有し、前記ＳＩＰアプリケーションサーバは、前記Ｗｅｂシステムを介して、第１の端末から認証要求を受け付ける受付手段と、前記メディアサーバに発信するとともに、前記認証要求で指定された第２の端末に発信し、前記メディアサーバと前記第２の端末との間の通信を確立させる発信手段と、前記認証要求で指定されたパスワードを含む認証用ガイダンスの開始指示を、前記メディアサーバに送信する開始手段と、を有し、前記メディアサーバは、前記認証用ガイダンスの開始指示に基づいて認証用ガイダンスを前記第２の端末に送出するガイダンス送出手段と、前記第２の端末から入力されたプッシュボタン信号と、前記認証用ガイダンスの開始指示に含まれるパスワードとが一致するか否かのユーザ認証を行い、認証結果を前記Ｗｅｂシステムに送信する認証手段とを有する。
【００１１】
また、本発明は、Ｗｅｂシステムと連携するＶｏＩＰシステムが実行する連携プログラムであって、前記ＶｏＩＰシステムは、ＳＩＰアプリケーションサーバとメディアサーバとを有し、前記ＳＩＰアプリケーションサーバに、前記Ｗｅｂシステムを介して、第１の端末から認証要求を受け付ける受付ステップと、前記メディアサーバに発信する発信ステップと、前記認証要求で指定された第２の端末に発信する発信ステップと、前記メディアサーバと前記第２の端末との間の通信を確立させるメディア情報変更ステップと、前記認証要求で指定されたパスワードを含む認証用ガイダンスの開始指示を、前記メディアサーバに送信する送信ステップと、を実行させ、前記メディアサーバに、前記認証用ガイダンスの開始指示に基づいて認証用ガイダンスを前記第２の端末に送出するガイダンス送出ステップと、前記第２の端末から入力されたプッシュボタン信号と、前記認証用ガイダンスの開始指示に含まれるパスワードとが一致するか否かのユーザ認証を行い、認証結果を前記Ｗｅｂシステムに送信する認証ステップと、を実行させる。
【発明の効果】
【００１２】
本発明によれば、ＷｅｂシステムとＶｏＩＰシステムとを、より容易に、かつよりセキュアに連携することができる。
【図面の簡単な説明】
【００１３】
【図１】本発明の実施形態に係る通信システムの構成図である。
【図２】実施例１の動作（ＰＢ認証）を示すシーケンス図である。
【図３】実施例１の動作（ＰＢ認証）を示すシーケンス図である。
【図４】実施例２の動作（第１のコンテンツ流通）を示すシーケンス図である。
【図５】実施例３の動作（第２のコンテンツ流通）を示すシーケンス図である。
【図６】実施例３の動作（第２のコンテンツ流通）を示すシーケンス図である。
【図７】実施例４の動作（第３のコンテンツ流通）を示すシーケンス図である。
【図８】実施例４の動作（第３のコンテンツ流通）を示すシーケンス図である。
【発明を実施するための形態】
【００１４】
以下、本発明の実施形態について説明する。
【００１５】
図１は、本発明の実施形態に係る通信システムの一例を示す図である。本実施形態の通信システムは、Ｗｅｂシステムとして、Ｗｅｂアプリケーションサーバ１１およびＷＷＷサーバ１２を有し、ＶｏＩＰシステムとして、ＳＩＰアプリケーションサーバ３１、ＳＩＰサーバ３２およびメディアサーバ３３を有する。
【００１６】
Ｗｅｂアプリケーションサーバ１１は、インターネット網５１に接続される端末２１（第１の端末）を使用するユーザを認証するとともに、ＷＷＷサーバ１２から認証発信要求やコンテンツ取得要求を受信してＳＩＰアプリケーションサーバ３１に送信する。
【００１７】
ＷＷＷサーバ１２は、端末２１の表示装置に表示する各種のデータ（Ｗｅｂページ）を格納し、端末２１からの要求に応じて所定のデータを端末２１に送信する。なお、Ｗｅｂアプリケーションサーバ１１およびＷＷＷサーバ１２は、インターネット網５１に存在するＷｅｂサイトであってもよく、また、認証サービスを提供する通信事業者が用意するカスタマコントロール用のＷｅｂサイトであってよい。
【００１８】
端末２１は、例えばＰＣ（Personal Computer）などであって、ユーザ操作（Ｗｅｂ画面上のオブジェクトのクリック、システム用のカスタマコントロール画面への条件登録、等）を受け付けて、認証発信要求、コンテンツ取得要求等を行う。端末２１は、インターネット網５１を介してＷＷＷサーバ１２に接続することができる。
【００１９】
ＳＩＰアプリケーションサーバ３１は、Ｗｅｂアプリケーションサーバ１１からの認証発信要求等を受け付け、メディアサーバ３３、電話／ＦＡＸ端末４１、携帯端末４２、電話／ＦＡＸ端末４３への呼設定および解放等の呼接続制御要求等を行う。Ｗｅｂアプリケーションサーバ１１とＳＩＰアプリケーションサーバ３１とは、ＩＰ網５５を介して接続されている。Ｗｅｂアプリケーションサーバ１１とＳＩＰアプリケーションサーバ３１との間の通信は、ＣＯＲＢＡ、ＨＴＴＰ、ＳＯＡＰなどが考えられる。
【００２０】
ＳＩＰサーバ３２は、ＳＩＰアプリケーションサーバ３１からの呼設定要求を受け付けて、接続先のシステム・端末に呼設定を行う。ＳＩＰサーバ３２は、ＩＰ電話網５２を介して当該ＳＩＰサーバ３２に収容されるＩＰ通信機器（図示する例では電話／ＦＡＸ端末４１）に接続してもよく、また、所定のゲートウェイ３４を選択して携帯電話網５３、他事業者の他社加入者網５４に接続してもよい。なお、ゲートウェイ３４は、複数存在してもよい。また、ＳＩＰアプリケーションサーバ３１からの呼接続要求には、ＳＩＰまたはＩＮＡＰ（intelligent network application protocol）を用いることが考えられる。
【００２１】
メディアサーバ３３は、ＳＩＰアプリケーションサーバ３１からの指示に応じて、電話／ＦＡＸ端末４１、携帯端末４２、電話／ＦＡＸ端末４３との接続後に、入力ＰＢ（プッシュボタン）信号に基づいて認証を行うとともに、認証結果をＳＩＰアプリケーションサーバ３１およびＷｅｂアプリケーションサーバ１１に通知する。また、メディアサーバ３３は、電話／ＦＡＸ端末４１、携帯端末４２、電話／ＦＡＸ端末４３と接続して音声を録音し、また録音した音声を管理する。
【００２２】
ゲートウェイ３４は、異なる網同士を接続する。ゲートウェイ３４は、複数の相互接続点５６に接続されていてもよく、また、相互接続点５６を介さずに複数の加入者網に直接接続してもよい。また、１つの相互接続点５６に対して、複数の加入者網が存在してもよい。なお、加入者網には、携帯電話網５３および他事業者の他社加入者網５４が含まれるものとする。
【００２３】
電話／ＦＡＸ端末４１は、ＩＰ電話網５２に接続されたＩＰ端末であって、例えば電話、ＦＡＸなどを用いることができる。携帯端末４２は、携帯電話網５３に接続された端末である。電話／ＦＡＸ端末４３は、他社加入者回線網５４に接続された他事業者端末であって、例えば電話、ＦＡＸなどを用いることができる。
【００２４】
上記説明した各装置１１、１２、２１、３１、３２、３３、３４は、例えば、ＣＰＵと、メモリと、ＨＤＤ等の外部記憶装置と、入力装置と、出力装置とを備えた汎用的なコンピュータシステムを用いることができる。このコンピュータシステムにおいて、ＣＰＵがメモリ上にロードされた所定のプログラムを実行することにより、各装置の各機能が実現される。
【００２５】
次に、本実施形態の通信システムの動作（実施例１〜実施例４）について、図２から図８を用いて説明する。
【００２６】
［実施例１］  
図２および図３は、実施例１の動作（ＰＢ認証処理）を示すシーケンス図である。本実施例では、端末２１を使用するユーザＡが、端末２１と接続させたいＶｏＩＰシステムの端末として電話／ＦＡＸ端末４１を指定した認証要求を送信し、電話／ＦＡＸ端末４１とメディアサーバ３３とを接続して電話／ＦＡＸ端末４１からＰＢ信号を入力させる。このＰＢ信号を用いた認証に成功した場合、電話／ＦＡＸ端末４１は、ユーザＡの使用する正当な端末としてＷｅｂアプリケーションサーバ１１、ＳＩＰアプリケーションサーバ３１およびメディアサーバ３３に登録される。
【００２７】
図２において、端末２１は、ＷＷＷサーバ１２およびＷｅｂアプリケーションサーバ１１が提供するＷｅｂサービスの利用中に、ユーザの指示を受け付けてＰＢ認証要求を、ＷＷＷサーバ１２を介してＷｅｂアプリケーションサーバ１１に送信する（Ｓ１００）。ＰＢ認証要求には、ユーザが入力した接続先の端末（図示する例では電話／ＦＡＸ端末４１）のアドレスと、ＰＢ認証用のパスワードとが含まれる。本実施形態では端末のアドレスとして電話番号を使用するが、これに限定されず、ＩＰアドレス、ＳＩＰアドレス等の端末を一意に特定できる情報を用いることとしてもよい。
【００２８】
ユーザは、ＰＢ認証要求を行う前に端末２１を用いてＷｅｂサービスにログインし、例えば、Ｗｅｂサービスの中の１つのサービスであるＰＢ認証要求画面を端末２１に表示させ、当該画面に接続先の端末の電話番号（アドレス）およびＰＢ認証用のパスワードを入力し、発信ボタンをクリックする。
【００２９】
なお、１回のＰＢ認証要求毎に、Ｗｅｂサービスにログインしてもよく、この場合、ＰＢ認証要求には、電話番号およびＰＢ認証用のパスワードの他に、ユーザＩＤ（図示する例では、ユーザＡ）が含まれ、ＷＷＷサーバ１２およびＷｅｂアプリケーションサーバ１１に通知される。
【００３０】
Ｗｅｂアプリケーションサーバ１１は、端末２１からＰＢ認証要求を受信すると、当該ＰＢ認証要求で指定された電話番号およびＰＢ認証用パスワードをパラメータとしてＰＢ認証要求をＳＩＰアプリケーションサーバ３１に送信する（Ｓ１０１）。
【００３１】
ＳＩＰアプリケーションサーバ３１は、Ｗｅｂアプリケーションサーバ１１からＰＢ認証要求を受信すると、発信準備を行う（Ｓ１０２）。すなわち、ＳＩＰアプリケーションサーバ３１は、呼識別ＩＤを払い出し（生成し）、当該呼識別ＩＤをＷｅｂアプリケーションサーバ１１に通知し、Ｗｅｂアプリケーションサーバ１１とＳＩＰアプリケーションサーバ３１との間での呼を識別し、管理する。すなわち、ＳＩＰアプリケーションサーバ３１は、呼識別ＩＤを含む応答をＷｅｂアプリケーションサーバ１１に送信する。
【００３２】
Ｗｅｂアプリケーションサーバ１１は、受信した呼識別ＩＤを含む応答をＷＷＷサーバ１２に送信し、ＷＷＷサーバ１２は、当該呼識別ＩＤを含む応答を端末２１に送信する。このように呼識別ＩＤを端末２１まで流通させることにより、端末２１からＳＩＰアプリケーションサーバ３１に対して、Ｓ１００のＰＢ認証要求に関する呼解放要求などの所望の要求を行うことができる。
【００３３】
そして、ＳＩＰアプリケーションサーバ３１は、メディアサーバ３３に呼接続要求（ＩＮＶＩＴＥ）を送信し、発信する（Ｓ１０３）。ＳＩＰアプリケーションサーバ３１は、この呼接続要求（ＩＮＶＩＴＥ）に無音ガイダンスを示す情報をＲｅｑｕｅｓｔ−ＵＲＩを設定し、セッション確立後、すぐにガイダンスを送出しないようにするとともに、接続先の通信アドレスには、不明のため仮の値を設定する。メディアサーバ３３は、呼接続要求（ＩＮＶＩＴＥ）に対する応答（２００ＯＫ）をＳＩＰアプリケーションサーバ３１に送信する。
【００３４】
ＳＩＰアプリケーションサーバ３１は、応答（２００ＯＫ）を受信すると、ＳＩＰサーバ３２を用いて電話／ＦＡＸ端末４１に発信する（Ｓ１０４）。具体的には、ＳＩＰアプリケーションサーバ３１は、ＰＢ認証要求で指定された接続先の端末（電話／ＦＡＸ端末４１）の電話番号に対して呼接続するように、ＳＩＰサーバ３２に呼接続要求（ＩＮＶＩＴＥ）を送信する。
【００３５】
ここで、ＳＩＰアプリケーションサーバ３１は、呼接続要求のメディア情報には、メディアサーバ３３からの応答（Ｓ１０３）に含まれるメディア情報を設定する。メディア情報はＳＤＰ（Session Description Protocol）により記述されている。また、呼接続要求の発信元（ＦＲＯＭ）に、ＶｏＩＰシステムまたはＷｅｂシステムのサービス事業者のアドレス（電話番号）を設定することにより、端末２１を使用するユーザに対して課金しないことも可能である。
【００３６】
ＳＩＰサーバ３２は、当該呼接続要求に基づいて、指定された電話番号に呼接続要求（ＩＮＶＩＴＥ）を送信する。電話／ＦＡＸ端末４１は、ＳＩＰサーバ３２を介して応答（２００ＯＫ）をＳＩＰアプリケーションサーバ３１に送信する。
【００３７】
そして、図３において、ＳＩＰアプリケーションサーバ３１は、ＳＩＰサーバ３２を介して電話／ＦＡＸ端末４１から応答を受信すると、メディアサーバ３３にメディア情報変更要求（ＲＥ−ＩＮＶＩＴＥ）を送信する（Ｓ１０５）。メディアサーバ３３は、応答（２００ＯＫ）をＳＩＰアプリケーションサーバ３１に送信する。
【００３８】
このメディア情報変更要求（ＲＥ−ＩＮＶＩＴＥ）のメディア情報には、電話／ＦＡＸ端末４１からの応答（Ｓ１０４）に含まれるメディア情報を設定する。これにより、メディアサーバ３３と電話／ＦＡＸ端末４１との間のメディアパスが確立する。なお、この状態では、メディアサーバ３３には無音ガイダンスを送出するように指示しているため、電話／ＦＡＸ端末４１では何も聴取できない状態である。
【００３９】
ＳＩＰアプリケーションサーバ３１は、メディアサーバ３３から応答を受信すると、メディアサーバ３３にガイダンス送出指示要求（ＩＮＦＯ）を送信する（Ｓ１０６）。当該指示要求（ＩＮＦＯ）のメッセージボディには、ＰＢ認証用のガイダンスシナリオを示す情報（例えば、ガイダンスシナリオのファイル名等）とともに、Ｓ１００で送信されたＰＢ認証用のパスワードを設定する。
【００４０】
メディアサーバ３３は、ガイダンス送出指示要求（ＩＮＦＯ）に対する応答（２００ＯＫ）とともに、ガイダンス送出指示の結果をＳＩＰアプリケーションサーバ３１に送信し、ＳＩＰアプリケーションサーバ３１は、当該ガイダンス送出指示の結果に対する応答（２００ＯＫ）をメディアサーバ３３に送信する。
【００４１】
メディアサーバ３３は、ＳＩＰアプリケーションサーバ３１からの応答を受信すると、ガイダンス送出指示要求（ＩＮＦＯ）で指定されたガイダンスシナリオを開始し、電話／ＦＡＸ端末４１にガイダンスを送出する（Ｓ１０７）。メディアサーバ３３には、各種のガイダンスシナリオのファイルがあらかじめ記憶されているものとする。
【００４２】
電話／ＦＡＸ端末４１のユーザは、電話／ＦＡＸ端末４１から送出されるガイダンスを聴取し、当該ガイダンスに従ってＰＢ（プッシュボタン）により認証用パスワードを入力する。電話／ＦＡＸ端末４１は、入力されたＰＢ信号をメディアサーバ３３に送信する（Ｓ１０８）。
【００４３】
メディアサーバ３３は、ＰＢ信号を受信すると、当該ＰＢ信号が示すパスワードと、Ｓ１０７のガイダンス送出指示要求（ＩＮＦＯ）のメッセージボディに設定されたＰＢ認証用パスワードとが一致するか否かを判別するユーザ認証を行い、認証結果を保持するとともに、認証結果をＳＩＰアプリケーションサーバ３１に送信する（Ｓ１０９）。
【００４４】
なお、メディアサーバ３３は、パスワードが一致する場合、電話／ＦＡＸ端末４１が端末２１のユーザが指定した正当な端末であると認証し、認証結果として、当該電話／ＦＡＸ端末４１の電話番号をメディアサーバ３３の記憶部（不図示）に記憶する。また、メディアサーバ３３は、認証結果として、パスワードが一致する場合は、認証に成功した旨および認証に成功した端末の電話番号を送信し、パスワードが一致しない場合は、認証に失敗した旨を送信する。
【００４５】
ＳＩＰアプリケーションサーバ３１は、送信された認証結果を記憶部（不図示）に記憶するとともに、送信された認証結果をＷｅｂアプリケーションサーバ１１に送信する（Ｓ１１０）。具体的には、認証成功の認証結果を受信した場合、認証に成功した端末の電話番号を記憶部に記憶する。
【００４６】
Ｗｅｂアプリケーションサーバ１１は、送信された認証結果を記憶部（不図示）に記憶して管理する（Ｓ１１１）。なお、Ｗｅｂアプリケーションサーバ１１は、Ｗｅｂサービスを利用可能なユーザのユーザＩＤをあらかじめ記憶部に登録している。そして、認証成功の認証結果を受信した場合、Ｓ１００でＰＢ認証要求を送信したユーザのユーザＩＤと対応付けて認証に成功した端末（電話／ＦＡＸ端末４１）の電話番号を記憶部に記憶する。なお、認証失敗の認証結果を受信した場合、当該ユーザＩＤに対応付けて認証失敗を示す情報（フラグ等）を設定することとしてもよい。
【００４７】
また、Ｗｅｂアプリケーションサーバ１１は、端末２１からＷＷＷサーバ１２を介して送信された認証結果取得要求に対して、記憶部から認証結果を読み出し、ＷＷＷサーバ１２を介して端末２１に送信する。
【００４８】
以上説明したように、Ｗｅｂアプリケーションサーバ１１（Ｗｅｂシステム）が、メディアサーバ３３（ＶｏＩＰシステム）が行ったユーザ認証の認証結果を管理および保持することにより、Ｗｅｂアプリケーションサーバ１１側で当該ユーザ認証に基づいた関連サービスの制御を実施することが可能となる。
【００４９】
また、本実施例では、Ｗｅｂシステムで管理しているユーザ情報（ここでは、ユーザＩＤに対応する電話番号）を、ＶｏＩＰシステムに事前登録する必要がなく、端末２１からの要求があったときにＰＢ認証を行い、認証結果をＶｏＩＰシステムおよびＷｅｂシステムで管理することで、Ｗｅｂ−ＶｏＩＰ連携サービス（例えば、後述する実施例２から実施例４等）を提供できる。このため、ＷｅｂシステムとＶｏＩＰシステムとは、疎な関係で連携することができる。
【００５０】
なお、本実施例で説明したＰＢ認証は、端末２１からのＰＢ認証要求の許可・拒否をＷｅｂアプリケーションサーバ１１で行うことができるため、接続先端末は、図２および図３で説明したようにＳＩＰアプリケーションサーバ３１の事業者の電話／ＦＡＸ端末４１であってもよく、また、他事業者の端末（携帯端末４２および電話／ＦＡＸ端末４３）であってもよい。
【００５１】
［実施例２］  
図４は、実施例２の動作（第１のコンテンツ流通処理）を示すシーケンス図である。本実施例では、実施例１のＰＢ認証を行った後、端末２１のユーザＡが、メディアサーバ３３に登録された音声ファイルをＷｅｂアプリケーションサーバ１１から取得する場合の動作を説明する。
【００５２】
携帯端末４２は、ユーザ（第三者またはユーザＡ）の指示を受け付けて、録音発信する（Ｓ２０１）。録音発信は、例えば、発信先をメディアサーバ３３としつつ、電話／ＦＡＸ端末４１の電話番号を指定した発信であるものとする。なお、携帯端末４２は、電話/ＦＡＸ端末４１の電話番号のかわりに、当該電話/ＦＡＸ端末４１に対応した番号（論理的な番号）を指定して、発信することとしてもよい。ＳＩＰサーバ３２は、メディアサーバ３３に当該電話番号を含む呼接続要求（ＩＮＶＩＴＥ）を送信し、メディアサーバ３３が電話／ＦＡＸ端末４１の代理で携帯端末４２に応答し、携帯端末４２のユーザの音声（伝言等）を受け付ける（Ｓ２０１）。
【００５３】
メディアサーバ３３は、携帯端末４２から送信された音声（コンテンツ）を、コンテンツＩＤとともに記憶部に登録する。また、メディアサーバ３３は、電話／ＦＡＸ端末４１に対する音声録音があった旨およびコンテンツＩＤを含む録音通知を、Ｗｅｂアプリケーションサーバ１１に送信する。Ｗｅｂアプリケーションサーバ１１は、ＷＷＷサーバ１２を介して端末２１に、当該録音通知を送信する（Ｓ２０２）。
【００５４】
端末２１は、録音通知を受信すると、録音されたコンテンツ（本実施例では音声ファイル）の取得を要求するコンテンツ取得要求を、ＷＷＷサーバ１２を介してＷｅｂアプリケーションサーバ１１に送信する（Ｓ２０３）。コンテンツ取得要求には、ユーザが入力したユーザＩＤ、ＰＢ認証済みの端末（電話／ＦＡＸ端末４１）の電話番号、コンテンツＩＤが含まれる。
【００５５】
なお、端末２１からＷｅｂアプリケーションサーバ１１およびＷＷＷサーバ１２が提供するＷｅｂサービスのログインを行い、ログインを行ったセッションでコンテンツ取得要求を送信する場合は、Ｓ２０３においてユーザＩＤの入力は不要である。
【００５６】
Ｗｅｂアプリケーションサーバ１１は、コンテンツ取得要求に含まれるユーザＩＤおよび電話番号に基づいて、ユーザ認証を行う。すなわち、Ｗｅｂアプリケーションサーバ１１は、記憶部を参照し、当該ユーザＩＤに対応するＰＢ認証済み端末の電話番号として当該電話番号が登録されているか否かを判別する。
【００５７】
電話番号がＰＢ認証済みの場合、Ｗｅｂアプリケーションサーバ１１は、コンテンツ取得要求を許可し、電話番号およびコンテンツＩＤを含むコンテンツ取得要求を、メディアサーバ３３に送信する（Ｓ２０４）。なお、電話番号がＰＢ認証済みでない場合、Ｗｅｂアプリケーションサーバ１１は、コンテンツ取得要求を拒否する。
【００５８】
メディアサーバ３３は、Ｗｅｂアプリケーションサーバ１１からコンテンツ取得要求を受信すると、記憶部を参照し、当該要求で指定された電話番号がＰＢ認証済みの電話番号であるか否かを判別する。ＰＢ認証済みの電話番号の場合、指定されたコンテンツＩＤに対応するコンテンツ（音声ファイル）を記憶部から読み出し、Ｗｅｂアプリケーションサーバ１１に送信する。Ｗｅｂアプリケーションサーバ１１は、ＷＷＷサーバ１２を介してコンテンツを端末２１に送信する（Ｓ２０５）。
【００５９】
これにより、端末２１のユーザＡは、携帯端末４２から送出され、メディアサーバ３３に登録されたコンテンツ（音声ファイル）を、端末２１で再生することができる。すなわち、コンテンツを、ＷｅｂシステムおよびＶｏＩＰシステム間で流通させることができる。
【００６０】
［実施例３］  
図５および図６は、実施例３の動作（第２のコンテンツ流通処理）を示すシーケンス図である。本実施例では、実施例１のＰＢ認証を行った後、端末２１のユーザＡが音声登録するようにＷｅｂアプリケーションサーバ１１を介してＳＩＰアプリケーションサーバ３１に登録発信要求を行い、メディアサーバ３３に登録された音声ファイルをＷｅｂアプリケーションサーバ１１から取得する場合の動作を説明する。
【００６１】
端末２１は、ユーザの指示を受け付けて、ユーザＩＤおよび音声送出元の端末の電話番号（図示する例では携帯端末４２の電話番号）を含む録音発信要求を、ＷＷＷサーバ１２を介してＷｅｂアプリケーションサーバ１１に送信する（Ｓ３０１）。
【００６２】
Ｗｅｂアプリケーションサーバ１１は、録音発信要求を受信し、当該要求に含まれるユーザＩＤを用いて、当該ユーザが実施例１のＰＢ認証済みのユーザか否かを判別する。具体的には、記憶部を参照し、当該ユーザＩＤに対応する認証結果を取得する。ＰＢ認証済みのユーザの場合、Ｗｅｂアプリケーションサーバ１１は、録音発信要求を許可し、録音発信要求をＳＩＰアプリケーションサーバ３１に送信する（Ｓ３０２）。
【００６３】
すなわち、Ｗｅｂアプリケーションサーバ１１は、録音発信要求に含まれるユーザＩＤに対応するＰＢ認証済みの電話番号（図示する例では電話／ＦＡＸ端末４１の電話番号）を記憶部から取得し、当該ＰＢ認証済みの電話番号と、録音発信要求に含まれる電話番号（携帯端末４２）とを含む録音発信要求をＳＩＰアプリケーションサーバ３１に送信する。なお、ＰＢ認証済みでないユーザの場合、Ｗｅｂアプリケーションサーバ１１は、録音発信要求を拒否する。
【００６４】
ＳＩＰアプリケーションサーバ３１は、Ｗｅｂアプリケーションサーバ１１から録音発信要求を受信すると、当該要求に含まれるＰＢ認証済みの電話番号が、記憶部に記憶されたＰＢ認証済みの電話番号のいずれかと一致するか否かを判別する。
【００６５】
記憶部に記憶されたＰＢ認証済みの電話番号の場合、ＳＩＰアプリケーションサーバ３１は、呼識別ＩＤを払い出し、当該呼識別ＩＤをＷｅｂアプリケーションサーバ１１に通知し、Ｗｅｂアプリケーションサーバ１１とＳＩＰアプリケーションサーバ３１との間での呼を識別し、管理する（Ｓ３０３）。すなわち、ＳＩＰアプリケーションサーバ３１は、呼識別ＩＤを含む応答をＷｅｂアプリケーションサーバ１１に送信する。
【００６６】
Ｗｅｂアプリケーションサーバ１１は、受信した呼識別ＩＤを含む応答をＷＷＷサーバ１２を介して端末２１に送信する。このように呼識別ＩＤを端末２１まで流通させることにより、端末２１からＳＩＰアプリケーションサーバ３１に対して、Ｓ３０１の録音発信要求に関する呼解放要求などの所望の要求を行うことができる。
【００６７】
そして、ＳＩＰアプリケーションサーバ３１は、図２のＳ１０３およびＳ１０４と同様に、無音ガイダンスを示す情報をＲｅｑｕｅｓｔ−ＵＲＩに設定した呼接続要求（ＩＮＶＩＴＥ）をメディアサーバ３３に送信し（Ｓ３０４）、ＳＩＰサーバ３２を用いて、録音発信要求で指定された携帯端末４２に発信する（Ｓ３０５）。
【００６８】
そして、図６において、ＳＩＰアプリケーションサーバ３１は、図３のＳ１０５と同様に、メディアサーバ３３にメディア情報変更要求（ＲＥ−ＩＮＶＩＴＥ）を送信する（Ｓ３０６）。これにより、メディアサーバ３３と携帯端末４２との間のメディアパスが確立するが、メディアサーバ３３には無音ガイダンスを送出するように指示しているため、携帯端末４２では何も聴取できない状態である。
【００６９】
ＳＩＰアプリケーションサーバ３１は、メディアサーバ３３から応答を受信すると、メディアサーバ３３にガイダンス送出指示要求（ＩＮＦＯ）を送信する（Ｓ３０７）。当該指示要求（ＩＮＦＯ）のメッセージボディには、音声録音用のガイダンスシナリオを示す情報（例えば、ガイダンスシナリオのファイル名等）を設定する。
【００７０】
メディアサーバ３３は、ガイダンス送出指示要求（ＩＮＦＯ）に対する応答（２００ＯＫ）とともに、ガイダンス送出指示の結果をＳＩＰアプリケーションサーバ３１に送信し、ＳＩＰアプリケーションサーバ３１は、当該ガイダンス送出指示の結果に対する応答（２００ＯＫ）をメディアサーバ３３に送信する。
【００７１】
メディアサーバ３３は、ＳＩＰアプリケーションサーバ３１からの応答を受信すると、ガイダンス送出指示要求（ＩＮＦＯ）で指定されたガイダンスシナリオを開始し、携帯端末４２に録音用ガイダンスを送出する（Ｓ３０８）。メディアサーバ３３には、各種のガイダンスシナリオのファイルがあらかじめ記憶されているものとする。
【００７２】
携帯端末４２のユーザ（ユーザＡまたは第３者）は、携帯端末４２から送出されるガイダンスを聴取し、当該ガイダンスに従って所望の音声を入力する。携帯端末４２は、入力された音声をメディアサーバ３３に送信する。
【００７３】
メディアサーバ３３は、携帯端末４２から送信された音声（コンテンツ）を、コンテンツＩＤとともに記憶部に登録する。また、メディアサーバ３３は、携帯端末４２から音声録音があった旨およびコンテンツＩＤを含む録音通知を、Ｗｅｂアプリケーションサーバ１１に送信する。Ｗｅｂアプリケーションサーバ１１は、ＷＷＷサーバ１２を介して端末２１に、当該録音通知を送信する（Ｓ３０９）。
【００７４】
以降の処理は、実施例２のＳ２０３からＳ２０５（図４参照）と同様である。
【００７５】
本実施例では、端末２１のユーザＡは、携帯端末４２から送出され、メディアサーバ３３に登録されたコンテンツ（音声ファイル）を、端末２１で再生することができる。すなわち、コンテンツを、ＷｅｂシステムおよびＶｏＩＰシステム間で流通させることができる。
【００７６】
［実施例４］  
図７および図８は、実施例４の動作（第３のコンテンツ流通処理）を示すシーケンス図である。本実施例では、実施例１のＰＢ認証を行ったユーザが、端末２１に格納されているコンテンツ（音声ファイル）を、Ｗｅｂアプリケーションサーバ１１を介してメディアサーバ３３にアップロードし、さらに、ＳＩＰアプリケーションサーバ３１に発信要求を行うことで、アップロードしたコンテンツをＶｏＩＰにて携帯端末４２に聴取させる場合の動作を説明する。
【００７７】
端末２１は、ユーザＡの指示を受け付けて、ユーザＩＤおよびＰＢ認証済み端末（電話／ＦＡＸ端末４１）の電話番号と、アップロードするコンテンツとを含むコンテンツ蓄積要求を、ＷＷＷサーバ１２を介してＷｅｂアプリケーションサーバ１１に送信する（Ｓ４０１）。
【００７８】
Ｗｅｂアプリケーションサーバ１１は、コンテンツ蓄積要求を受信し、当該要求に含まれるユーザＩＤおよび電話番号を用いて、当該ユーザが実施例１のＰＢ認証済みのユーザか否かを判別する。ＰＢ認証済みのユーザの場合、Ｗｅｂアプリケーションサーバ１１は、コンテンツ蓄積要求を許可し、電話番号およびコンテンツを含むコンテンツ蓄積要求をメディアサーバ３３に送信する（Ｓ４０２）。なお、ＰＢ認証済みでないユーザの場合、Ｗｅｂアプリケーションサーバ１１は、コンテンツ蓄積要求を拒否する。
【００７９】
メディアサーバ３３は、コンテンツ蓄積要求を受信すると、所定のコンテンツＩＤを払い出し、当該コンテンツＩＤとともにコンテンツ蓄積要求に含まれるコンテンツを記憶部に蓄積・登録する。また、メディアサーバ３３は、コンテンツＩＤを含む応答を、Ｗｅｂアプリケーションサーバ１１およびＷＷＷサーバ１２を介して、端末２１に送信する（Ｓ４０３）。
【００８０】
端末２１は、コンテンツＩＤを含む応答を受信すると、ユーザの指示を受け付けて、コンテンツ発信要求を、ＷＷＷサーバ１２を介してＷｅｂアプリケーションサーバ１１に送信する（Ｓ４０４）。コンテンツ発信要求には、ユーザＩＤ、発信先の電話番号（図示する例では携帯端末４２の電話番号）およびコンテンツＩＤが含まれる。
【００８１】
Ｗｅｂアプリケーションサーバ１１は、コンテンツ発信要求に含まれるユーザＩＤが実施例１のＰＢ認証済みのユーザか否かを判別し、ＰＢ認証済みのユーザの場合、コンテンツ発信要求を許可する。そして、Ｗｅｂアプリケーションサーバ１１は、当該ユーザＩＤに対応するＰＢ認証済みの電話番号（電話／ＦＡＸ端末４１）を記憶部から取得し、取得したＰＢ認証済みの電話番号、発信先の電話番号（携帯端末４２）、およびコンテンツＩＤを含むコンテンツ発信要求を、ＳＩＰアプリケーションサーバ３１に送信する（Ｓ４０５）。なお、ＰＢ認証済みでないユーザの場合、Ｗｅｂアプリケーションサーバ１１は、コンテンツ発信要求を拒否する。
【００８２】
ＳＩＰアプリケーションサーバ３１は、コンテンツ発信要求を受信すると、当該要求に含まれるＰＢ認証済み電話番号（電話／ＦＡＸ端末４１）が、記憶部に記憶されたＰＢ認証済みの電話番号のいずれかと一致するか否かを判別する。
【００８３】
記憶部に記憶されたＰＢ認証済みの電話番号の場合、ＳＩＰアプリケーションサーバ３１は、呼識別ＩＤを払い出し、当該呼識別ＩＤをＷｅｂアプリケーションサーバ１１に通知し、Ｗｅｂアプリケーションサーバ１１とＳＩＰアプリケーションサーバ３１との間での呼を識別し、管理する（Ｓ４０６）。すなわち、ＳＩＰアプリケーションサーバ３１は、呼識別ＩＤを含む応答を、Ｗｅｂアプリケーションサーバ１１およびＷＷＷサーバ１２を介して端末２１に送信する。このように呼識別ＩＤを端末２１まで流通させることにより、端末２１からＳＩＰアプリケーションサーバ３１に対して、Ｓ４０１のコンテンツ蓄積要求に関する呼解放要求などの所望の要求を行うことができる。
【００８４】
そして、図８に示すＳ４０７からＳ４０９の処理は、実施例１のＳ１０３からＳ１０５（図２、図３参照）と同様であるため、ここでは説明を省略する。
【００８５】
そして、ＳＩＰアプリケーションサーバ３１は、メディアサーバ３３から応答を受信すると、メディアサーバ３３にコンテンツ送信指示要求（ＩＮＦＯ）を送信する（Ｓ４１０）。当該指示要求（ＩＮＦＯ）のメッセージボディには、Ｓ４０５のコンテンツ発信要求で指定されたコンテンツＩＤが設定されている。
【００８６】
メディアサーバ３３は、コンテンツ送信指示要求（ＩＮＦＯ）に対する応答（２００ＯＫ）とともに、コンテンツ送信指示の結果をＳＩＰアプリケーションサーバ３１に送信し、ＳＩＰアプリケーションサーバ３１は、当該コンテンツ送信指示の結果に対する応答（２００ＯＫ）をメディアサーバ３３に送信する。
【００８７】
メディアサーバ３３は、ＳＩＰアプリケーションサーバ３１からの応答を受信すると、コンテンツ送信指示要求（ＩＮＦＯ）で指定されたコンテンツＩＤのコンテンツを記憶部から読み出し、当該コンテンツを発信先の携帯端末４２に送出する（Ｓ４１１）。
【００８８】
本実施例では、端末２１のユーザＡは、端末２１で保持するコンテンツをメディアサーバにアップロードし、所望の端末（携帯端末４２）に送信することができる。すなわち、コンテンツを、ＷｅｂシステムおよびＶｏＩＰシステム間で流通させることができる。
【００８９】
以上説明した本実施形態では、Ｗｅｂアプリケーションサーバ１１（Ｗｅｂシステム）が、メディアサーバ３３（ＶｏＩＰシステム）が行ったユーザ認証の認証結果を管理および保持することにより、Ｗｅｂアプリケーションサーバ１１側で当該ユーザ認証に基づいた関連サービスの制御を実施することができる。
【００９０】
すなわち、ＰＢ認証済みのユーザからの要求の場合にのみ、要求を許可することにより、セキュリティを向上することができる。例えば、Ｗｅｂアプリケーションサーバ１１とＳＩＰアプリケーションサーバ３１と、メディアサーバ３３とが、それぞれ異なる事業者によって運用されている場合において、これらのサーバ１１、３１、３３間で相互にコンテンツの流通を行う場合には、セキュリティ上で堅牢な仕組みが必要となるが、本人性確認が可能な電話による通話（ＰＢ信号の入力）を認証に用いることにより、認証結果をＷｅｂアプリケーションサーバ１１と、ＳＩＰアプリケーションサーバ３１と、メディアサーバ３３の各々の事業者が管理し、事業者間でのセキュリティを担保したコンテンツ流通を行うことができる。
【００９１】
また、本実施形態では、本人制認証の確度が高いＰＢ信号によるＰＢ認証を用いることにより、ＷｅｂシステムとＶｏＩＰシステムとを、より容易にかつよりセキュアに連携し、多様なＷｅｂ−ＶｏＩＰ連携サービスを提供することができる。
【００９２】
また、本実施形態では、ＷｅｂシステムとＶｏＩＰシステム間で、セキュアにコンテンツを流通させることができ、また、双方向からコンテンツを流通させることができる。
【００９３】
また、本実施形態では、Ｗｅｂシステム、ＶｏＩＰシステムの各々が保有しているユーザ情報を、相互に事前に登録する必要がなく、随時（端末２１からの要求があったとき）にＰＢ認証を行い、認証結果をＶｏＩＰシステムおよびＷｅｂシステムでそれぞれ管理することで、疎な関係のＷｅｂシステムとＶｏＩＰシステムとで、Ｗｅｂ−ＶｏＩＰ連携サービスを提供することができる。
【００９４】
なお、本発明は上記実施形態に限定されるものではなく、その要旨の範囲内で数々の変形が可能である。例えば、上記実施形態では、コンテンツの一例として音声ファイルを用いているが、画像ファイル（ＦＡＸ）、映像ファイル等、多様なメディアに適用することができる。
【００９５】
また、上記実施形態では、ＷｅｂシステムとＶｏＩＰシステムとを連携させたサービスの一例として、ＷｅｂシステムとＶｏＩＰシステムとの間でセキュアにコンテンツを流通させるサービスを示している。しかし、本発明は、これに限定されず、例えば、Ｗｅｂシステムからのクリックツーダイアル要求（２者間通話発信要求）に対するＶｏＩＰサービスでの許可または拒否判定に、上記実施形態のＰＢ認証結果を用いる等、多様なＷｅｂ−ＶｏＩＰサービスに適用することができる。
【符号の説明】
【００９６】
１１  Ｗｅｂアプリケーションサーバ
１２  ＷＷＷサーバ
２１  端末
３１  ＳＩＰアプリケーションサーバ
３２  ＳＩＰサーバ
３３  メディアサーバ
３４  ゲートウェイ
４１  電話／ＦＡＸ端末（ＩＰ端末）
４２  携帯端末
４３  電話／ＦＡＸ端末（他事業者端末）
５１  インターネット
５２  ＩＰ網
５３  携帯電話網
５４  他社加入者網
５５  ＩＰ網
５６  相互接続点
【図１】
2010273015.tif 000003
【図２】
2010273015.tif 000004
【図３】
2010273015.tif 000005
【図４】
2010273015.tif 000006
【図５】
2010273015.tif 000007
【図６】
2010273015.tif 000008
【図７】
2010273015.tif 000009
【図８】
2010273015.tif 000010